(57)【要約】      （修正有）【課題】商品棚に陳列された商品の重量データから、販売・補充された商品の数量および種類を算出する商品管理システムを得る。【解決手段】商品棚２と、該商品棚２に備えられ商品の重量を測定する重量センサ４と、その測定した重量データをインターネット５での送信手段１０と、該送信手段１０によって送信された重量データを受信するｗｅｂサーバ７と、管理端末８からなる商品管理システムにおいて、前記ｗｅｂサーバ７は、受信した重量データの記憶装置１３と、該記憶装置１３に記憶された重量データから増減データを算出する重量増減データ算出装置１４と、複数種の商品の重量を記憶した商品重量データベース１５と、前記重量増減データ算出装置１４で算出された重量増減データと前記商品重量データベース１５に記録された商品の重量とを比較し、販売あるいは補充された商品の数量および種類を算出する商品数算出装置１６とで構成される。【選択図】図２
2014152018.tif 000002
【特許請求の範囲】
【請求項１】
商品を陳列することができる商品棚と、該商品棚に備えられ、陳列された商品の重量を測定することができる重量センサと、該重量センサで測定した重量データをインターネットを介して送信する送信手段と、該送信手段によって送信された重量データを受信するｗｅｂサーバと、該ｗｅｂサーバにアクセスすることができる管理端末からなる商品管理システムにおいて、前記ｗｅｂサーバは、受信した重量データを時系列に記憶する記憶装置と、該記憶装置に記憶された重量データから重量の増減データを算出する重量増減データ算出装置と、複数種の商品の重量を記憶した商品重量データベースと、前記重量増減データ算出装置で算出された重量増減データと前記商品重量データベースに記録された商品の重量に基いて、販売あるいは補充された商品の数量および種類を算出する商品数算出装置とを備えることを特徴とする商品管理システム。
【請求項２】
前記送信手段は、重量データが変化し、かつ、変化後の重量データが一定時間変化しない場合に、重量データをｗｅｂサーバに送信することを特徴とする請求項１記載の商品管理システム。
【請求項３】
前記送信手段は、所定時間毎にｗｅｂサーバに重量データを送信することを特徴とする請求項１または２記載の商品管理システム。
【発明の詳細な説明】
【技術分野】
【０００１】
本発明は商品棚に陳列された商品の重量データから、販売・補充された商品の数量および種類を算出する商品管理システムに関する。
【背景技術】
【０００２】
従来、商品棚に備えた重量センサによって、棚の商品の増減を感知するものが知られている（特許文献１）。
このため、棚の商品が増えた、減ったという情報は取得できたとしても、どの商品が何個販売・補充されたという情報は取得できないという欠点があった。
【先行技術文献】
【特許文献】
【０００３】
【特許文献１】特開２０００−４８２６２
【発明の概要】
【発明が解決しようとする課題】
【０００４】
本発明は以上のような従来の欠点に鑑み、商品棚に陳列された商品の重量データをデータベース化し、商品棚に備えられた重量センサより得られる重量データを前記データベースと照合することにより、販売・補充された商品の数量および種類を算出する商品管理システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は商品を陳列することができる商品棚と、該商品棚に備えられ、陳列された商品の重量を測定することができる重量センサと、該重量センサで測定した重量データをインターネットを介して送信する送信手段と、該送信手段によって送信された重量データを受信するｗｅｂサーバと、該ｗｅｂサーバにアクセスすることができる管理端末からなる商品管理システムにおいて、前記ｗｅｂサーバは、受信した重量データを時系列に記憶する記憶装置と、該記憶装置に記憶された重量データから重量の増減データを算出する重量増減データ算出装置と、複数種の商品の重量を記憶した商品重量データベースと、前記重量増減データ算出装置で算出された重量増減データと前記商品重量データベースに記録された商品の重量とを比較し、販売あるいは補充された商品の数量および種類を算出する商品数算出装置とで商品管理システムを構成している。
【発明の効果】
【０００７】
以上の説明から明らかなように、本発明にあっては次に列挙する効果が得られる。
（１）請求項１により、商品重量データベースに記録された商品重量と重量の増減データに基いて、どの商品が何個販売・補充されたかを算出することができる。
したがって、同一の商品棚に複数種の商品を陳列しても、それぞれの商品の販売数を算出することができる。
（２）前記（１）により、商品棚に重量センサを備えているので、どの売場でどどの商品が何個販売・補充されたかという情報を取得することができる。
（３）前記（１） により、ｗｅｂサーバにデータ送信し、ｗｅｂサーバにおいてデータ処理されるので、管理端末で複数の店舗、売り場の情報を一元化して閲覧することができる。
（４）請求項２も前記（１）〜（３）と同様な効果が得られるとともに、重量変化後、重量が一定時間しない場合にデータ送信を行うので、風、振動等により一時的に重量が変化した場合にはデータ送信を行わないようにすることができる。
したがって、不必要なデータの蓄積を防止することができる。
（５）請求項３も前記（１）〜（４）と同様な効果が得られるとともに、所定時間毎に重量データ送信を行うので、重量変化がなくてもデータ送信されシステムが正常に稼働していることを判別できる。
【図面の簡単な説明】
【０００８】
【図１】本発明を実施するための第１の形態の概要図。
【図２】本発明を実施するための第１の形態のブロック図。
【図３】本発明を実施するための第１の形態の送信手段の説明図。
【図４】本発明を実施するための第１の形態のｗｅｂサーバの説明図。
【図５】本発明を実施するための第１の形態の商品数算出フローチャート。
【図６】本発明を実施するための第１の形態の商品数算出結果画面の説明図。
【図７】本発明を実施するための第２の形態の概要図。（ＳＤ）
【図８】本発明を実施するための第２の形態の送信手段の説明図。
【図９】本発明を実施するための第３の形態の概要図。（スマホｂｔ）
【図１０】本発明を実施するための第３の形態の送信手段の説明図。
【発明を実施するための形態】
【０００９】
以下、図面に示す本発明を実施するための形態により、本発明を詳細に説明する。
【００１０】
図１ないし図６に示す本発明を実施するための第１の形態において、１は商品棚２に陳列された商品３の重量により、商品の販売・補充数を算出する商品管理システムで、商品管理システム１は、商品３を陳列することができる商品棚２と、該商品棚２に備えられ、陳列された商品３の重量を測定することができる重量センサ４と、送信する送信手段６と、該送信手段６によって送信された重量データを受信するｗｅｂサーバ７と、該ｗｅｂサーバ７にアクセスすることができる管理端末８より構成されている。
【００１１】
前記商品棚３は商品載置台９と、該商品載置台９に備えられた重量データを測定する重量センサ４と、該重量センサ４で測定した重量データをインターネット５を介してｗｅｂサーバ７に送信する送信器１０より構成されている。
【００１２】
前記送信手段６は前記送信器１０と重量センサ４で測定した重量データをｗｅｂサーバに送信するタイミングを決定する制御装置１１より構成されている。本実施の形態において制御装置１１は、商品の重量データが変化し、かつ、一定時間重量が安定していた場合および所定時間毎に重量データをｗｅｂサーバ７に送信するよう送信器１０を制御する。なお、商品棚２が複数存在する場合には、送信器１０は商品棚２の位置情報や識別情報、設置店舗情報等もｗｅｂサーバ７に送信する。
【００１３】
変化後の一定時間（例えば５秒間）安定していた場合に重量データ送信するように制御することにより、振動、風等により数値が変化した場合には重量データはすぐに変化前の重量に戻るためノイズとなるデータを送信することを防止できる。
【００１４】
また、所定時間毎（例えば１０分毎）に重量データをｗｅｂサーバ７に送信するよう送信器１０を制御することにより、システムが正常に稼働していることを判別することができる。なお、所定時間毎の重量データ送信の際には、陳列されている商品重量よりも相当小さい重量のダミーデータ（５ｇ変化等）を送信するように設定してもよい。
【００１５】
前記ｗｅｂサーバ７は、重量データを受信する受信器１２と、受信した重量データを時系列に記憶する記憶装置１３と、該記憶装置１３に記憶された重量データから重量の増減データを算出する重量増減データ算出装置１４と、複数種の商品の重量を記憶した商品重量データベース１５と、前記重量増減データ算出装置１４で算出された重量増減データと商品重量データベース１５に記録された商品の重量とを比較し、販売あるいは補充された商品の数量および種類を算出する商品数算出装置１６より構成されている。
【００１６】
前記重量増減データ算出装置１４は、記憶装置１３に記憶された時系列の重量データのうち、連続する２つのデータを抽出し、重量の増減データを算出する。
商品重量データベース１５には取扱商品ごとに１個あたりの重量が記憶されている。なお、商品重量データベース１５に商品の陳列されている商品棚を記憶させておいてもよい。
【００１７】
商品数算出装置１６は重量増減データ算出装置１４により算出された重量の増減データと、商品重量データベース１５に記憶された商品１個あたりの重量から演算し、販売あるいは補充された商品の数量および種類を算出する。
例えば、商品棚２に陳列されている商品２の１個あたりの重量が、ペットボトル飲料Ａ（５３０ｇ）、ペットボトル飲料Ｂ（５４５ｇ）、ペットボトル飲料Ｃ（５６０ｇ）であり、重量の増減データが２１６５ｇ減であった場合、商品数算出装置１６はペットボトル飲料Ａが２個、ペットボトル飲料Ｂが１個、ペットボトル飲料Ｃが１個販売されたことを算出する（２１６５ｇ＝５３０ｇ×２個＋５４５ｇ×１個＋５６０ｇ×１個）。
ｗｅｂサーバ７にて算出された重量の増減データおよび販売等された商品の数量等は前記記憶装置１３に記憶される。
【００１８】
前記管理端末８は、店舗や複数の店舗を管理する管理本部等に設置されており、インターネット５を介してｗｅｂサーバ７と接続され、重量データ、重量の増減データ、商品重量データベース１５、販売あるいは補充された商品の数量および種類を閲覧、記録することができる。また、商品重量データベース１５の商品重量データの編集も行う。
【００１９】
次に、本実施形態における商品数算出手順を図５に示すフローチャートにそって説明する。
【００２０】
まず、商品棚２の商品載置台９に設けられた重量センサ４により測定された、商品３の重量データが変化したかどうかを判別する（ステップＳ１０１）。重量データが変化していない場合には、前回の重量データ送信から所定時間が経過しているかどうかについて制御装置１１で判別する（ステップＳ１０２）。所定時間経過していない場合には、再度重量データが変化しているかを判別に戻る。
【００２１】
重量データが変化している場合または前回の重量データ送信から所定時間が経過している場合には、重量データを送信器１０よりインターネット５を介してｗｅｂサーバ７へ送信する（ステップＳ１０３）。
【００２２】
重量データが送信されると、ｗｅｂサーバ７は受信器１２で受信し（ステップＳ１０４）、記憶装置１３に時系列順に記憶する（ステップＳ１０５）。
【００２３】
次に重量増減データ算出装置１４は、ステップＳ１０４で受信した最新の重量データを含む２つの連続する重量データを抽出し、重量の増減データを算出する（ステップＳ１０６）。
【００２４】
次に、商品数算出装置１６はこの重量の増減データに変化があるかどうかを判別し、増減データが０ｇまたはダミーデータの場合には、所定時間毎の重量データ送信であるので、販売個数等を０個として終了する。増減データに変化がある場合には、販売個数等を算出へ移行する（ステップＳ１０７）。
【００２５】
次に、商品数算出装置１６は販売個数等を算出するために、商品重量データベース１５に記憶された商品１個あたりの重量を抽出する（ステップＳ１０８）。その後、商品１個あたりの重量と重量の増減データから商品の販売・補充した個数および種類を算出して、種々のデータを記憶装置１３等に適宜記録し、商品数算出手順を終了する（ステップＳ１０９）。
【００２６】
[発明を実施するための異なる形態]
次に、図７ないし図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図７および図８に示す本発明を実施するための第２の形態において、前記本発明を実施するための第１の形態と主に異なる点は、商品棚２にメモリーカード１７を備え、重量データをメモリーカード１７に保存し、メモリーカード１７のデータを管理端末８や店舗に設置された端末からｗｅｂサーバ７に送信する送信手段６Ａを用いた商品管理システム１Ａにしても、前記本発明を実施するための第１の形態と同様な作用効果が得られる。
【００２８】
なお、重量データをメモリーカード１７に保存するタイミングとしては、重量変化があった場合、所定時間毎、メモリーカード１７を商品棚２から取り出す時等が考えられる。
【００２９】
図９および図１０に示す本発明を実施するための第２の形態において、前記本発明を実施するための第１の形態と主に異なる点は、商品棚２に近距離無線通信用送信器１８を設けて重量データを近距離無線通信用送信器１８により、近距離無線通信用受信器１９を備えるスマートフォン２０に送信し、該スマートフォン２０を用いてｗｅｂサーバ７に重量データを送信する送信手段６Ｂを用いた商品管理システム１Ｂにしても、前記本発明を実施するための第１の形態と同様な作用効果が得られる。
【００３０】
なお、本発明の実施の形態においては、送信手段として送信器を備える商品棚から送信する送信手段、スマートフォンを用いて送信する送信手段およびメモリカードに重量データを記憶し、管理端末等を用いて送信する送信手段について説明したが、商品棚と店舗端末等を有線で接続し、店舗端末等を用いて送信する送信手段、近距離無線通信用送信器により、スマートフォンに重量データを送信し、スマートフォンのメモリーカードに重量データを保存した後、店舗端末等を用いて送信する送信手段等も考えられるし、これらの送信手段を複数組み合わせて用いてもよい。
【００３１】
また、本発明の実施の形態においては、ｗｅｂサーバにて算出された増減データおよび販売等された商品の数量等をｗｅｂサーバの記憶装置に記憶するついて説明したが、記憶装置に記憶せず、これらのデータを管理端末等にメールで送信したり、外部記憶装置に記憶するような記憶手段を用いてもよいし、データが算出された時に、記憶せずに管理端末等に接続したプリンタ等によりプリントアウトしてもよい。
なお、重量センサはロードセルタイプのセンサを想定しているが、商品の重量を測定できるものであれば、どのようなものでもよい。
【産業上の利用可能性】
【００３２】
本発明は小売店等の販売商品数を管理する産業で利用される。
【符号の説明】
【００３３】
１、１Ａ、１Ｂ：商品管理システム、  ２：商品棚、
３：商品、                          ４：重量センサ、
５：インターネット、                ６、６Ａ、６Ｂ：送信手段、
７：ｗｅｂサーバ、                  ８：管理端末、
９：商品載置台、                    １０：送信器、
１１：制御装置、                    １２：受信器、
１３：記憶装置、                    １４：重量増減データ算出装置
１５：商品重量データベース、        １６：商品数算出装置、
１７：メモリーカード、              １８：近距離無線通信用送信器、
１９：近距離無線通信用受信器、      ２０：スマートフォン。
【図１】
2014152018.tif 000003
【図２】
2014152018.tif 000004
【図３】
2014152018.tif 000005
【図４】
2014152018.tif 000006
【図５】
2014152018.tif 000007
【図６】
2014152018.tif 000008
【図７】
2014152018.tif 000009
【図８】
2014152018.tif 000010
【図９】
2014152018.tif 000011
【図１０】
2014152018.tif 000012